(57)【要約】      （修正有）【課題】部分床入れ歯のクラスプを提供する。【解決手段】ワイヤ部材の一端側を、該部分床入れ歯２２の人工歯を植立させた義歯床に連接させる連接部とし、前記ワイヤ部材の他端には、該部分床入れ歯の口腔内装着時に前記隣接する歯牙の歯根間隙部に位置させて該部分床入れ歯を係止する長楕円球状体を、その長軸方向が前記ワイヤ部材の延在方向に位置するようにして設け、前記ワイヤ部材の前記連接部と長楕円球状体１９との中間部は、該部分床入れ歯２２の口腔内装着時に前記隣接する歯牙の歯冠・歯列間隙に沿って位置するように屈曲させる垂直鉤として形成する。【選択図】図３
2017159070.tif 000002
【特許請求の範囲】
【請求項１】
口腔内に隣接する歯牙を用いて部分床入れ歯を係止させるクラスプであって、
ワイヤ部材の一端側を、該部分床入れ歯の人工歯を植立させた義歯床に連接させる連接部とし、
前記ワイヤ部材の他端には、該部分床入れ歯の口腔内装着時に前記隣接する歯牙の歯根間隙部に位置させて該部分床入れ歯を係止する長楕円球状体を、その長軸方向が前記ワイヤ部材の延在方向に位置するようにして設けてあり、
前記ワイヤ部材の前記連接部と長楕円球状体との中間部は、該部分床入れ歯の口腔内装着時に前記隣接する歯牙の歯冠・歯列間隙に沿って位置するように屈曲形成された垂直鉤として形成されていることを特徴とするクラスプ。
【請求項２】
前記ワイヤ部材は、線径０．５ｍｍ〜０．８ｍｍとされたチタンモリブデンスズからなる合金ワイヤであり、
前記長楕円球状体は、チタン材、金合金材もしくは合成樹脂材のいずれかの材料により長さ１．４ｍｍ〜１．８ｍｍ、最大豊隆径２．０ｍｍに形成されていることを特徴とする請求項１に記載のクラスプ。
【請求項３】
請求項１または請求項２に記載のクラスプを用いた部分床入れ歯。
【発明の詳細な説明】
【技術分野】
【０００１】
本発明は歯科医療分野における部分床入れ歯のクラスプとそれを用いた部分床入れ歯に関する発明であり、歯科補綴分野の部分入れ歯の従来型クラスプ形体に代わる新素材応用形体のクラスプとそれを用いた部分床入れ歯に関する。
【背景技術】
【０００２】
歯科医療補綴分野の合成樹脂床部分入れ歯には残存歯牙にクラスプを付し、入れ歯の係止作用の役目を担わせているが、このクラスプ材料には、高弾性係数低引張強度材料である鉄コバルトクロムワイヤや金合金、白金合金ワイヤ（１）が従来、用いられてきた。
【０００３】
そして、クラスプとしての性能を満たすには不充分な旧來材料ワイヤ（１）の高弾性係数低強度特性を補うため、前世期初頭から今世紀にわたり、応用するクラスプの対象歯牙種が前歯用、犬歯用、臼歯用などと、また、対象症例の歯牙の欠損部が、すなわち前歯部であるか臼歯部であるかによって、或いは機能性を重視した形体か、機能性とともに審美性回復を加味した形体かなどによって、図５に示すように、約２０種類のクラスプが考案されてきた。
【０００４】
人類の歯牙の形体を比較解剖学的に考察すると、人類の摂食対象物が雑食性であるため前歯、犬歯、小臼歯、大臼歯など形体的に分化し、それぞれの歯種が接食食物に対応した形体に進化してきた。すなわち前歯は切断し摂取する機能を、犬歯は咬み砕く機能を、臼歯は噛み潰す機能などとそれぞれの役割を分担し、それに応じて形体も機能に適応している。このため従来型のクラスプは、応用する歯牙種に応じて、前歯用、犬歯用、臼歯用などとその歯種に応じて、また歯牙の欠損形体に対応して多くの種類が開発されてきた。
【０００５】
ここで、図６を用いて従来の欠損歯牙部分を補綴するための従来型ワイヤクラスプ付き合成樹脂床入れ歯について説明する。なお、図７には、歯牙の欠損形体の例を示す。
【０００６】
従来の欠損歯牙部を補綴する合成樹脂床に取り付けられていたクラスプは該患者の口腔内に残っている歯牙に入れ歯を係止させる役目を担わせていたが、この従来型の製作材料には高弾性係数低強度鉄クロムニッケル合金ワイヤ（１）類や同じく貴金属材料からなるワイヤ材などを歯科技工士が直接手つくり作業で、該歯牙を複製した石膏模型に合わせて、従来型素材のワイヤを屈曲させるなどとしてクラスプの鉤腕部を製作していた（図８参照。）
【０００７】
他方では金パラジウム合金材を用いて、図９に示すように、精密鋳造法により鉤体部（８）を鋳造し、この鉤体部に嵌め込み溝（９）を立接して、この嵌め込み溝に該高弾性係数低強度鉄クロムニッケル合金ワイヤ（１）などの製品を嵌め込み、両部材を火焔溶接（１０）により一体化（１１）させて、こうして出来たクラスプ部分を合成樹脂床部分に埋め込むことにより、両部との接合を図るなど複雑な工程を、歯科技工士は終始手つくり作業により製作してきた（図１０参照）。
【先行技術文献】
【特許文献】
【０００８】
【特許文献１】特開平１０−２５１７８１号
【発明の概要】
【発明が解決しようとする課題】
【０００９】
部分床入れ歯を口腔内の定位置に係止する機能を果たすクラスプとして、性能的な問題はコバルトクロム合金ワイヤの低値の引張強度を補うため、直径１．２ｍｍ以上の太いワイヤを使わざるを得ない点を挙げることができる。
前述の様に、歯科技工士が手づくり作業で屈曲しているため、これらの数値以下の細いワイヤを応用すると、これらのいずれの従来材も素材自身の性能不足から屈曲作業中に高頻度で折損させてしまうからである。
【００１０】
手づくり作業で行う、この屈曲作業の折損事故を防ぐには金合金材のワイヤや、白金加金ワイヤが望まれたが、これらは貴金属材料であって、患者が負担する治療費に跳ね返るため、歯科医療機器市場から見た全体の使用量はごく限られている。
【００１１】
しかし、貴金属製合金ワイヤを含めたこれらの従来型材料はバネ材としての性能は不十分で、この材料を用いて製作されたクラスプを応用した部分入れ歯を装着した患者の多くは、このクラスプ材の高い弾性係数により、このクラスプをかけた歯牙の多くが、当該歯牙支持組織（１２）を損ねるため、該入れ歯装着後短期間で該歯牙が抜歯の止む無きに至る症例が極めて多くなっているばかりでなく、後述する如くその一部は重篤な継発症を招いている（図１１参照）。
【００１２】
このため該患者は短期間に、新たに部分入れ歯の作り替えをせざるをえず、作り変えても、この作り替えた入れ歯のクラスプ（１１）も同じく、歯牙支持組織を損ね、同じことの繰り返しによって、また次の歯牙を犠牲にするため、この状況の多数回の繰り返しを、緊急に解決させる必要がある。この弾性の劣るバネ材クラスプと旧来型のクラスプ形体が、短期間に多くの総入れ歯装着者（１３）を増加させている現状を招いている。
【００１３】
図１２に示す医療経済研究機構による統計（参考資料：［非特許文献］（財）医療経済研究機構  １９９８年医療経済研究報告書）は、歯科医療機関においておこなわれた補綴関連診療費が歯科医療保険診療請求書として社会保険庁に送られ、歯科医療機関に支払われた診療内容に関する予後成績を集計し分析したものである。
統計は保険加入者全員を５歳刻みで分類し、歯科補綴物装着者を冠ブリッジ装着者（１４）、部分床入れ歯装着者（１５）、総入れ歯装着者（１３）と、それぞれの補綴種類ごとに分類し、それらの補綴種類ごとの経過を、５歳刻みで経年的に補綴物種類が変わる変化を統計的に処理し、折れ線グラフに仕立てている。
【００１４】
この統計によると、被保険者が３０歳代から６０歳台くらいまでの間は、歯牙欠損部に対し冠ブリッジによる補綴治療が行われているが（１４）、５０歳代から６０歳台にかけては、残存歯牙数が減少すると、冠ブリッジによる補綴処置は出来なくなるために、部分入れ歯による補綴治療に代っている（１５）。注目すべきは、この年代の部分入れ歯装着者がその後、短期間に総入れ歯装着者（１３）になっていることである。このことは、現状行われている健康保険給付型部分入れ歯は、残存歯牙寿命を保護することが出来ず、歯牙補綴治療の終末治療である総入れ歯患者を増加させていることを意味している。
【００１５】
加えて問題は総入れ歯装着者を増やすのみならず、従来型のクラスプ用ワイヤ材の高弾性特性と従来型クラスプの形体により、該歯牙支持組織（１２）を側方方向から激しく揺動するため、歯牙支持組織を傷め、歯牙を支えている顎骨組織の吸収を招いている。その結果、中には顎骨組織が広範に失われ、入れ歯製作困難症（図１３参照）を継発させている。
総入れ歯製作は、歯科医師および歯科技工士が、顎骨をＵ字型に両側から挟み込む形状に仕立てることが出来ると、良好な総入れ歯に仕立てることが出来る。これに反して一旦、顎骨が吸収されてしまった症例は、入れ歯製作困難症と称され、総入れ歯製作は極めて困難な症例を続発させている。
【００１６】
また、従来は部分床入れ歯を口腔内で安定的して咀嚼機能や発音機能を発揮させるために、部分入れ歯にクラスプ（１１）を付設し、このクラスプを残存歯牙に掛けることによって入れ歯を、口腔内に係止させ安定して維持させようとしていた。
【００１７】
部分床入れ歯を口腔内に安定的に維持して装着させるためには、いずれのクラスプの形体も残存歯牙の歯冠部を囲穣するか、歯冠部に支点を設置する形体に設計されている（図５参照）。
【００１８】
図５に示すように、これまでの発表されてきた従来型クラスプの形体は多いが、支点が該歯牙の歯軸から離れた歯冠部周辺にあって、作用点は該歯牙中心線から離れている歯冠部周辺にあることが多いもので占められていた。すなわち該歯牙の歯牙支持組織の側方組織に過重な負担をかけているものが多かった（図１１参照）。
【００１９】
また、我が国の平均寿命は、１９６０年代には男性６５歳、女性７０歳であった。しかし２０１３年の男性の平均寿命は８０歳、女性の平均寿命は８６歳となって、現在世界的にも超最高齢社会になったと云われているが、上述の如く８０歳台前半で残存歯牙数は現在１２本となっている。インプラントによる修復は極めて限られていて、我が国では大多数の人々にとっては、総入れ歯が歯牙欠損補綴物による終末処置となっている。しかし、我が国の医療保険給付制度の従来材料クラスプ付き部分入れ歯製作に頼っている患者の中には少なからず、将来、歯科医師や歯科技工士に極めて総入れ歯製作を困難にさせる入れ歯製作困難症を引き起こしている。
【００２０】
上記した如く残存歯牙に掛けたクラスプが該歯牙支持組織の顎骨組織を吸収し、総入れ歯製作に重要な顎堤（１６）と称する部分を吸収させるため、平坦化させた顎堤（図１３参照）になり、この問題が入れ歯製作困難症患者の増加の主因となっている。
【００２１】
我が国の青壮年層の歯周病罹患率や歯牙齲蝕率などにおいてのデーターを世界的な水準と比べると、ほぼ欧米先進国に追いつきつつある。しかし、これらの成果に比べ我が国の壮年層以上の年代の残存歯牙数については欧米先進国のそれと比較して比べものにならないほど格差が有る。
【００２２】
すなわち歯科医療健康保険制度下にある我が国の部分床入れ歯装着患者の多くは、短期間に残存歯を失い総入れ歯患者になっている（図１２参照）。この問題は超高齢患者の生活の質に密接にかかわる、嚥下困難症ひいては嚥下性肺炎、胃瘻疾患等の引き金となって、これらの重症患者に対する保険金支払額は国民医療費増大を引き起こし、国家財政に深刻な課題を突き付けている。またこれらの患者の生活に対しても生活の質を脅かす大問題になっている。
【００２３】
また、チタン合金ワイヤ材を応用してクラスプに仕立てるためには、解決すべき課題が残されている。チタン材の加工時には、切削あるいは溶着操作などといった被削材あるいは被溶接材となるチタン材は空気中の酸素と激しく化合反応をおこすため、この課題を解決するための手段を考慮する必要があった。本開発製品の購買者対象と想定される大多数の企業が、従業員数人から１０数人の零細な規模の多い歯科技工所で、該チタン合金ワイヤ材を応用可能にさせるためには、図１４に示すように、Ｎｄ−ＹＡＧレーザ−精密チタン溶接機など、大型の資金投資あるいは大掛かりな機械や設備を導入させることは難しい。
【００２４】
チタン材を加工ができる環境はアルゴン等の不活性ガス雰囲気下の施設区画とかつ高度に空気と水が清浄な環境が必要になる。しかし、歯科医院や歯科技工所においては細菌学的には滅菌環境として厳重に管理されてはいるものの、このようなチタン加工に対応した環境も機器も準備されていない。
【００２５】
部分床入れ歯の製造は、患者からの依頼を受けると歯科医師が患者の口腔内を診断し所定の処置を行い、歯科技工指示書を記載し、歯科技工士に該入れ歯の該クラスプの製作をまかせている。しかし、歯科技工士が行う従来型のクラスプ屈曲工程は従来材である高弾性係数低引張強度ワイヤ素材（１）を用いておこなう手つくり作業に任され、作業者の熟練度に大きく依存していた。従来材を用いてのこの作業の習得は歯技工士学校３年間では不可能で、卒後少なくとも数年は要する過酷な手つくり技能である（図８参照）。この様な厳しい状況から歯科技工士学校を卒業はしたものの、歯科技工業に従事することを断念し転職せざるを得ないなどの深刻な状況を招いてる。
【００２６】
歯牙欠損部を補綴することが出来て、部分入れ歯を残存歯牙歯列に該患者が安定して装着できて、該患者が取り外したいときには残存歯牙や口腔軟組織を傷めることなく直ちに取り出すことが出来る部分床入れ歯やクラスプが求められていた。また、他者が観察者となって観察するとき、部分床入れ歯やクラスプが歯牙歯列に対し審美的な障害をきたすことが無いことが望まれる。
【課題を解決するための手段】
【００２７】
このような理由から、あらかじめ鉤腕部（４）と鉤体部（８）の機能を一体化させたクラスプを供給することとした。
すなわち、不活性ガスを備えた機器類あるいは設備を構築することなく、後加工業者すなわち歯科技工業者に、特別な機器や設備を必要としなくても済むクラスプを、テーラーメード部材として作成する。つまり、直接、合成樹脂の義歯床に該クラスプのワイヤを封止させることにより鉤体部を省くことが可能で、テーラーメード型部材としてワイヤを直接、合成樹脂義歯床に接合可能な部材に仕立てる。
【００２８】
具体的には、本願発明に係るクラスプは、口腔内に隣接する歯牙を用いて部分床入れ歯を係止させるクラスプであって、ワイヤ部材の一端側を、該部分床入れ歯の人工歯を植立させた義歯床に連接させる連接部とし、前記ワイヤ部材の他端には、該部分床入れ歯の口腔内装着時に前記隣接する歯牙の歯根間隙部に位置させて該部分床入れ歯を係止する長楕円球状体を、その長軸方向が前記ワイヤ部材の延在方向に位置するようにして設けてあり、前記ワイヤ部材の前記連接部と長楕円球状体との中間部は、該部分床入れ歯の口腔内装着時に前記隣接する歯牙の歯冠・歯列間隙に沿って位置するように屈曲形成された垂直鉤として形成されていることを特徴とし、さらには、前記ワイヤ部材は、線径０．５ｍｍ〜０．８ｍｍとされたチタンモリブデンスズからなる合金ワイヤであり、前記長楕円球状体は、チタン材、金合金材もしくは合成樹脂材のいずれかの材料により長さ１．４ｍｍ〜１．８ｍｍ、最大豊隆径２．０ｍｍに形成されていることを特徴とする。
【００２９】
また、本願発明に係る部分床入れ歯は請求項１または請求項２に記載のクラスプを用いたことを特徴とする。
【発明の効果】
【００３０】
このように構成されたクラスプは、歯科技工士の行う従来の手つくり加工工程における技能習得の困難さの問題を解消し、歯科技工士に対し優れた新素材の臨床導入に道を拓き、従来材を用いていた手つくり加工から脱却させて、該新素材製部材が有する物理的な特性を活かして臨床に応用させることを可能とする。
【００３１】
また、本発明のクラスプや、このクラスプを用いた部分床入れ歯は、残存歯牙歯列に該患者が安定して装着できて、該患者が取り外したいときには残存歯牙や口腔軟組織を傷めることなく直ちに取り出すことが出来、他者が観察者となって患者の該歯列に装着された該開発品を観察するとき、審美的な障害となることが無い。また、大掛かりな機械屋設備を導入する必要もない。
【００３２】
そして、このクラスプを用いた部分床入れ歯は、クラスプが患者の隣接歯牙同士の歯冠同士の峡部を封止させるとともに、ワイヤの先端部の長楕円球状部で歯牙歯根同士の間隙を封止させることによって該部分床入れ歯の安定維持を計ることが出来、歯牙損傷、入れ歯製作困難症を誘発させることも回避することができる等、前述した様々な課題を解決に導くことができる。
【図面の簡単な説明】
【００３３】
【図１】テーラーメイド型クラスプの模式説明図
【図２】歯列の水平方向から本願のクラスプを観察した状態を示す説明図
【図３】両側臼歯部欠損症例（離脱時と装着時）の説明図
【図４】本発明のクラスプ部材と従来材のバネ材としての性能比較図
【図５】従来のプラスプのリング状の鉤腕部と鉤体部の構成の説明図
【図６】従来型合成樹脂床部分入れ歯のクラスプの構成（鉤腕部と鉤体部）の説明図
【図７】歯牙の欠損形体の説明図
【図８】従来型のクラスプの歯科技工士による手つくり作業の説明図
【図９】従来材料型精密鋳造法の説明図
【図１０】精密鋳造法により鉤体部を製作：鉤体部嵌め込み溝に鉤腕部を嵌め込み火炎溶接
【図１１】従来型低品質のクラスプの問題点の説明図
【図１２】年齢階級別補綴種類装着状況：歯科社会保険請求点数を５歳刻みの年齢階級別に補綴種類別に修復した分類した統計図
【図１３】顎骨組織が十分にあって、良好な入れ歯を製作できる症例（左）と入れ歯製作困難症（右）、（下顎例）の説明図
【図１４】Ｎｄ−ＹＡＧレーザー精密チタン溶接機の説明図
【発明を実施するための形態】
【００３４】
本発明のクラスプは、図１乃至図３に示すように、ワイヤ部材の一端側を、該部分床入れ歯の人工歯を植立させた義歯床に連接させる連接部とし、前記ワイヤ部材の他端には、該部分床入れ歯の口腔内装着時に前記隣接する歯牙の歯根間隙部に位置させて該部分床入れ歯を係止する長楕円球状体を、その長軸方向が前記ワイヤ部材の延在方向に位置するようにして設けてあり、前記ワイヤ部材の前記連接部と長楕円球状体との中間部は、該部分床入れ歯の口腔内装着時に前記隣接する歯牙の歯冠・歯列間隙に沿って位置するように屈曲形成された垂直鉤（１８）として形成されている。
【００３５】
前記ワイヤ部材は、線径０．５ｍｍ〜０．８ｍｍとされた該低弾性係数高引張強度新素材であるチタンモリブデンスズワイヤ（２）であり、前記長楕円球状体は、ＣＰチタン材、金合金材もしくは合成樹脂材のいずれかの材料により、ワイヤ部材の前記他端における長さ１．４ｍｍから１．８ｍｍの範囲にあって、最大豊隆径２．０ｍｍに形成されている。
なお、図４には、本願発明においてワイヤ素材として使用する前記低弾性係数高引張強度新素材のチタンモリブデンスズと従来材のバネ材としての性能を比較して示す。
【００３６】
クラスプを、該ワイヤの先端部に長楕円球状部（１９）を取付け、テーラーメード化、すなわち標準化部材にさせて供給すると、歯科技工所側はチタン加工に必要な特別な機械、設備を導入する必要が無くなり、該新素材ワイヤを直接臨床に応用することが可能になる。
【００３７】
ここで、本実施形態の部分床入れ歯は、患者の残存歯牙歯列の舌側部（２１）に該部分床入れ歯（２２）を設置し、該低弾性係数高強度チタンモリブデンスズワイヤ（２）の端部は、歯牙歯列を越えて合成樹脂床舌側部に封止（２３）させている。観察者が該ワイヤを残存歯牙歯列の水平方向から観察する図１１に示すように、該ワイヤの垂直鉤（１８）部分は隣接歯牙同士の歯冠頂部の歯冠間隙峡部（２５）を揺動して、歯牙隣在歯同士の歯冠歯列間隙同士の峡部（３）を揺動し、歯牙歯根同士の間隙（２０）を、該ワイヤの先端部に取り付けた長楕円球状部（１９）により封止させることが、発明を実施するための最良の形態である。
【００３８】
すなわち、該入れ歯を歯牙欠損部に装着させたい時には、該ワイヤの先端部に取り付ける長楕円球状部で隣接歯牙歯根同士の間隙（２０）を封止させて、該ワイヤの低弾性係数を活用し該ワイヤを延長させる方向に引張り、該間隙に隣接歯牙歯根同士の間隙から外れていた長楕円球状部（１９）をこの間隙で係止させると、該ワイヤは隣接歯牙歯根同士の間隙狭部で封止される。
【００３９】
再度該ワイヤを延長させる方向に引っ張ると、すなわち患者が該部分床入れ歯を、部分床入れ歯を支えている歯牙欠損部の軟組織受容部に力を掛けると、封止されていた該ワイヤの先端部に取り付けられていた長楕円球状部（１９）が隣接歯牙歯根同士の間隙（２０）から外れ、封止されていた該入れ歯を容易に外すことが可能になる（図１参照）。
【００４０】
つまり、部分入れ歯製作分野におけるクラスプ材料であるチタンモリブデンスズワイヤ（商品名：ネオチタンワイヤ（山八歯科工業株式会社））（２）を用いて、これまでのクラスプの形体には無い、新たなクラスプ形体で、その支点および作用点の両者とも当該歯牙の歯軸に一致させる設計に仕立てる。
換言すれば、該入れ歯の係止、離脱方向を残存歯牙の長軸方向と一致させた設計にする。入れ歯の係止・離脱方向が残存歯牙の歯軸方向に一致しないと、残存歯牙の支持組織が破壊され、ひいてはこの残存歯牙寿命を短縮させるからである（図１１参照）。
【００４１】
前記垂直鉤（１８）の部分（腕部）の装着・離脱方向を残存歯牙の長軸方向と一致させた設計にすることにより、患者が歯牙欠損部に該入れ歯を装着させるとき、あるいは外すとき該入れ歯のクラスプ形体は、クラスプを掛けた該歯牙の長軸方向と装着・離脱方向が一致する。
【００４２】
クラスプを掛けた該歯牙の長軸方向と装着・離脱方向を一致させるこの物理学的な理論に基づく発想を活用することで鉤歯の歯牙寿命を損ねることを大幅に無くすことが出来ると考えられる。部分床入れ歯のクラスプの着脱時、該歯牙の長軸方向に作用点が移動するため該歯牙に掛かる力学的負担を大幅に減少させることが出来るからである。
発明者は低弾性係数高引張強度特性を示すチタン合金ワイヤの直径の異なったワイヤを用いて、クラスプ材としての応用法について、欠損歯牙症例の模型を用いて考察をおこなったところ、残存歯牙歯列の歯牙隣在歯同士の歯冠歯列間隙同士の峡部（３）を通過させることが出来る事を確認できた。
【００４３】
細くても強度がある新素材チタン合金ワイヤを残存歯牙歯列の隣接歯牙歯根同士の間隙（２０）を揺動させたいときには揺動させることが出来て、このワイヤを係止させたいときには係止させることが出来る様に仕立てることができる。
【００４４】
残存歯牙歯列の隣接歯牙歯冠同士の間隙峡部を直径０、７ｍｍの該チタン合金ワイヤを揺動させることが出来るが、このチタン合金ワイヤの先端方向には隣接歯牙歯冠同士の間隙（図３）があって、この部分の間隙の横幅は、１．２ｍｍ〜１．６ｍｍと該チタン合金ワイヤ直径よりもやや広く、寸法的に僅かに余裕があるため、この部分を利用し課題を解決するための手段とさせた。すなわち、該ワイヤの先端部に長楕円球状部の長軸方向をワイヤに一致させて取り付け、この長楕円球状部（１９）により隣接歯牙歯根同士の間隙（２０）で係止させることによって、該ワイヤを係止させたい時には係止させることが出来て、揺動させたい時には、揺動させることが可能になって、課題を解決するための手段とさせることが出来る。
【００４５】
このように、該入れ歯を上下に移動させることによって、すなわち、やや余分に歯牙欠損部の軟組織受容部に力を掛けると、該入れ歯を容易に外すことが出来る。また、該入れ歯を残存歯牙欠損部に装着させて、歯牙歯軸方向に該入れ歯を嵌め込むと、垂直鉤のワイヤ部の低弾性特性により、隣接歯牙歯根同士の間隙峡部を、長楕円球状部が引っ張って誘導させるため、患者が行う装着脱着時に行う操作は長楕円球状部（１９）が揺動可能になり、患者自身が係止させることも揺動させることも可能になる。この突起状の形体部が隣接歯牙同士の歯間部で封止を可能に仕立てる。
【００４６】
垂直鉤（１８）の先端部に長楕円球状部（１９）を同形体部の長軸方向をワイヤ方向に合致させて取付けると、患者が当該部に係止させたい時には係止できて、該入れ歯を歯牙欠損部から外したい時には外すことが出来る様にさせることが可能になり、臨床応用の道を拓くことが出来た。
【００４７】
また該患者が装着した入れ歯を外したい時には、該入れ歯を揺動させると、該入れ歯は垂直方向に沿って移動するため、係止していた入れ歯を容易に残存歯牙歯列から 揺動が可能となり口腔外に取り出すことが出来る。長楕円球状部の最大径１．４ｍｍと該ワイヤの直径０．７ｍｍのわずかな差が入れ歯の口腔内への装着と口腔外への離脱とを制御させている。このように仕立てることで入れ歯の合成樹脂床部の隅角部（２９）などが、歯牙欠損部の粘膜に食い込むなどの事態を無くすことを主要な特徴とさせることが出来る（図３参照）。
【００４８】
なお、本発明は、前述した実施形態に限定されるものではなく、必要に応じて種々の変更が可能である。
【符号の説明】
【００４９】
１  鉄コバルトクロムワイヤや金合金、白金合金ワイヤ：従来材
２  チタンモリブデンスズワイヤ：新素材
３  歯牙隣在歯同士の歯冠歯列間隙同士の峡部
４  鉤腕部
５  溶解金属
６  蝋型
７  歯科用金属鋳造体
８  鉤体部
９  嵌め込み溝
１０  火焔溶接
１１  一体化された鉤体部：クラスプ
１２  歯牙支持組織
１３  総入れ歯装着者
１４  ブリッジ装着者
１５  部分入れ歯装着者
１６  顎堤
１７  顎骨
１８  垂直鉤
１９  長楕円球状部
２０  歯牙歯根同士の間隙
２１  残存歯牙歯列の舌側部
２２  部分床入れ歯
２３  合成樹脂床に封止
２４  歯冠頂部の歯冠間隙峡部
２５  顕微鏡
２６  覗き窓
２７  印加電圧、照射時間調節器
２８  手を入れる窓
２９  合成樹脂床部の隅角部
【図１】
2017159070.tif 000003
【図２】
2017159070.tif 000004
【図３】
2017159070.tif 000005
【図４】
2017159070.tif 000006
【図５】
2017159070.tif 000007
【図６】
2017159070.tif 000008
【図７】
2017159070.tif 000009
【図８】
2017159070.tif 000010
【図９】
2017159070.tif 000011
【図１０】
2017159070.tif 000012
【図１１】
2017159070.tif 000013
【図１２】
2017159070.tif 000014
【図１３】
2017159070.tif 000015
【図１４】
2017159070.tif 000016